(57)【要約】【課題】日の出時刻及び日の入時刻を正確に特定することができるタイムスイッチを提供する。【解決手段】タイムスイッチ１０は、負荷及び電源の電気的な接続をオン及びオフするスイッチ部１２と、現在位置を計測する位置計測部１９と、計測された現在位置に基づいて日の出時刻及び日の入時刻の少なくとも一方を算出し、算出された時刻にスイッチ部１２をオンまたはオフする制御部１６とを備える。【選択図】図２
2020016618.tif 000002
【特許請求の範囲】
【請求項１】
負荷及び電源の電気的な接続をオン及びオフするスイッチ部と、
現在位置を計測する位置計測部と、
計測された前記現在位置に基づいて日の出時刻及び日の入時刻の少なくとも一方を算出し、算出された時刻に前記スイッチ部をオンまたはオフする制御部とを備える
タイムスイッチ。
【請求項２】
前記位置計測部は、さらに、現在の日時を示す日時情報を取得する
請求項１に記載のタイムスイッチ。
【請求項３】
さらに、前記スイッチ部がオンするオン時刻の設定、及び、前記スイッチ部がオフするオフ時刻の設定を受け付ける設定受付部を備え
前記オン時刻の設定の選択肢には、日の入時刻に前記スイッチ部がオンする日の入設定、及び、ユーザ指定の時刻に前記スイッチ部がオンする定時設定が含まれ、
前記オフ時刻の設定の選択肢には、日の出時刻に前記スイッチ部がオフする日の入設定、及び、ユーザ指定の時刻に前記スイッチ部がオフする定時設定が含まれる
請求項２に記載のタイムスイッチ。
【請求項４】
１日に複数の前記オン時刻を設定することが可能であり、かつ、１日に複数の前記オフ時刻を設定することが可能である
請求項３に記載のタイムスイッチ。
【請求項５】
前記スイッチ部は、前記設定受付部が受け付けた前記オン時刻の設定及び前記オフ時刻の設定にしたがって前記負荷及び前記電源の電気的な接続をオン及びオフする動作を毎日繰り返す
請求項３または４に記載のタイムスイッチ。
【請求項６】
前記設定受付部は、前記オン時刻の設定、及び、前記オフ時刻の設定を曜日ごとに受け付ける
請求項３〜５のいずれか１項に記載のタイムスイッチ。
【請求項７】
前記設定受付部は、前記オン時刻の設定、及び、前記オフ時刻の設定を指定された年月日ごとに受け付ける
請求項３〜６のいずれか１項に記載のタイムスイッチ。
【請求項８】
前記設定受付部は、前記スイッチ部がオン及びオフする動作を無効にする日付の設定をさらに受け付ける
請求項３〜７のいずれか１項に記載のタイムスイッチ。
【請求項９】
前記設定受付部は、第一期間における曜日ごとの前記オン時刻の設定及び前記オフ時刻の設定である第一週間設定と、前記第一期間と異なる第二期間における曜日ごとの前記オン時刻の設定及び前記オフ時刻の設定である第二週間設定とを個別に受け付ける
請求項６に記載のタイムスイッチ。
【請求項１０】
前記設定受付部は、特定の日付の設定、前記特定の日付における前記オン時刻の設定、及び、前記特定の日付における前記オフ時刻の設定をさらに受け付ける
請求項６に記載のタイムスイッチ。
【請求項１１】
前記設定受付部は、特定の日付の設定、特定の曜日の指定、及び、前記特定の曜日における前記オン時刻の設定及び前記オフ時刻の設定を前記特定の日付に割り当てる操作をさらに受け付ける
請求項６に記載のタイムスイッチ。
【請求項１２】
さらに、前記タイムスイッチの外部から割り込み信号を取得するための取得部を備え、
前記スイッチ部は、取得された前記割り込み信号に基づいて強制的にオンまたはオフする
請求項１〜１１のいずれか１項に記載のタイムスイッチ。
【請求項１３】
さらに、前記タイムスイッチの外部から同期信号を取得するための取得部を備え、
前記タイムスイッチは、取得された前記同期信号に基づいて、前記同期信号を取得した他のタイムスイッチと同期する
請求項１〜１２のいずれか１項に記載のタイムスイッチ。
【請求項１４】
前記設定受付部は、さらに、前記スイッチ部がオンするオン期間の長さの設定、及び、前記スイッチ部がオフするオフ期間の長さの設定を受け付け、
前記スイッチ部は、前記オン期間の長さの設定、及び、前記オフ期間の長さの設定にしたがって、オン及びオフを繰り返す
請求項３〜１１のいずれか１項に記載のタイムスイッチ。
【請求項１５】
前記設定受付部は、さらに、スリープ設定を受け付け、
前記スイッチ部は、前記スリープ設定において指定された期間オンした後、オフする
請求項３〜１１のいずれか１項に記載のタイムスイッチ。
【請求項１６】
前記設定受付部は、さらに、パルス幅の設定、及び、前記スイッチ部がオンするオン時刻の設定を受け付け、
前記スイッチ部は、前記オン時刻から前記パルス幅に対応する期間オンした後、オフする
請求項３〜１１のいずれか１項に記載のタイムスイッチ。
【発明の詳細な説明】
【技術分野】
【０００１】
本発明は、ユーザによって設定されたタイムスケジュールにしたがって負荷をオン及びオフするタイムスイッチに関する。
【背景技術】
【０００２】
タイムスイッチは、ユーザによって設定されたタイムスケジュールにしたがって負荷をオン及びオフする装置である。このようなタイムスイッチとして、特許文献１には、日の出時刻及び日の入時刻のデータを内蔵することで、日の入時刻に負荷をオンし、日の出時刻に負荷をオフすることが可能なソーラタイムスイッチが開示されている。
【先行技術文献】
【特許文献】
【０００３】
【特許文献１】特開平０９−２６９３８７号公報
【発明の概要】
【発明が解決しようとする課題】
【０００４】
一般的に、ソーラタイムスイッチでは日の出時刻及び日の入時刻があらかじめ準備されたデータによって定められる。このデータでは任意の数に分割された地域ごとに日の出時刻及び日の入時刻が準備されているため、日の出時刻及び日の入時刻の精度が低いことが課題である。
【０００５】
本発明は、日の出時刻及び日の入時刻を正確に特定することができるタイムスイッチを提供する。
【課題を解決するための手段】
【０００６】
本発明の一態様に係るタイムスイッチは、負荷及び電源の電気的な接続をオン及びオフするスイッチ部と、現在位置を計測する位置計測部と、計測された前記現在位置に基づいて日の出時刻及び日の入時刻の少なくとも一方を算出し、算出された時刻に前記スイッチ部をオンまたはオフする制御部とを備える。
【発明の効果】
【０００７】
本発明によれば、日の出時刻及び日の入時刻を正確に特定することができるタイムスイッチが実現される。
【図面の簡単な説明】
【０００８】
【図１】図１は、実施の形態に係るタイムスイッチの外観斜視図である。
【図２】図２は、実施の形態に係るタイムスイッチの機能構成を示すブロック図である。
【図３】図３は、実施の形態に係るタイムスイッチの基本動作のフローチャートである。
【図４】図４は、時刻情報の一例を示す図である。
【図５】図５は、実施の形態に係るタイムスイッチのソーラ機能に基づく動作のフローチャートである。
【図６】図６は、１日に２組のオン時刻及びオフ時刻が設定される例を示す図である。
【図７】図７は、休日設定機能を説明するための図である。
【図８】図８は、シーズン対応機能を説明するための図である。
【図９】図９は、特定日設定機能を説明するための図である。
【図１０】図１０は、曜日変更機能を説明するための図である。
【図１１】図１１は、スリープ機能を説明するための図である。
【図１２】図１２は、パルス機能を説明するための図である。
【発明を実施するための形態】
【０００９】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［構成］
まず、実施の形態に係るタイムスイッチの構成について説明する。図１は、実施の形態に係るタイムスイッチの外観斜視図である。図２は、実施の形態に係るタイムスイッチの機能構成を示すブロック図である。
【００１２】
タイムスイッチ１０は、設定受付部１３を通じて設定されたタイムスケジュールにしたがって、端子部１１に接続された負荷（図示せず）及び電源（図示せず）の電気的な接続をオン及びオフする（以下、単に「負荷をオン（オフ）する」とも記載される）装置である。タイムスイッチ１０は、具体的には、端子部１１と、スイッチ部１２と、設定受付部１３と、表示部１４と、記憶部１５と、制御部１６と、計時部１７と、拡張端子部１８と、位置計測部１９とを備える。
【００１３】
端子部１１には、負荷及び電源が接続される。負荷は、例えば、街路灯、照明、及び、看板などである。端子部１１は、例えば、ネジによって負荷及び電源を固定する構造を有する。端子部１１の回路構成については特に限定されない。端子部１１の回路構成は、負荷が接続される端子間に電源の電圧が印加される有電圧出力構成であってもよいし、負荷が接続される端子間に電源の電圧が印加されない無電圧出力構成であってもよい。端子部１１には、複数の負荷が取り付けられる場合もある。
【００１４】
スイッチ部１２は、端子部に接続された負荷及び電源の電気的な接続をオン及びオフする。スイッチ部１２は、例えば、リレー素子、及び、リレー素子の駆動回路によって実現されるが、パワートランジスタ、及び、パワートランジスタの駆動回路によって実現されてもよい。スイッチ部１２の接点構成は、特に限定されない。スイッチ部１２は、ｃ接点構成（つまり、単極双投）であってもよいし、ａ接点構成（つまり、単極単投）であってもよい。なお、端子部１１に複数の負荷が取り付けられる場合、タイムスイッチ１０は、複数の負荷に対応して複数のスイッチ部１２を備える場合がある。
【００１５】
設定受付部１３は、タイムスイッチ１０に関連する各種設定を受け付けるユーザインターフェースである。設定受付部１３は、具体的には、スイッチ部１２がオンするオン時刻の設定、及び、スイッチ部１２がオフするオフ時刻の設定を受け付ける。設定受付部１３は、例えば、ハードウェアキー（ハードウェアボタン）、及び、スライドスイッチなどによって実現されるが、タッチパネルなどによって実現されてもよい。
【００１６】
表示部１４は、ユーザが設定内容などを確認するための情報を表示する表示パネルである。表示部１４は、例えば、液晶パネルによって実現されるが、有機ＥＬパネルなどのその他の表示パネルによって実現されてもよい。また、表示部１４は、バックライトを備えていてもよい。
【００１７】
記憶部１５は、設定受付部１３によって受け付けられた各種設定が設定情報として記憶される記憶装置である。記憶部１５は、例えば、半導体メモリによって実現される。
【００１８】
制御部１６は、スイッチ部１２のオン及びオフ（つまり、負荷及び電源の電気的な接続のオン及びオフ）を制御する制御装置である。制御部１６は、具体的には、記憶部１５に記憶された設定情報に基づいてスイッチ部１２に制御信号を送信する。制御部１６は、例えば、マイクロコンピュータまたはプロセッサなどによって実現される。なお、記憶部１５は、制御部１６に内蔵されてもよい。
【００１９】
計時部１７は、現在の日時を計測するタイマ装置である。計時部１７は、例えば、リアルタイムクロックによって実現される。
【００２０】
拡張端子部１８は、取得部の一例であり、割り込み信号、または、同期信号などを取得するための、端子部１１と異なる別の端子部である。
【００２１】
位置計測部１９は、タイムスイッチ１０の現在位置を計測する。位置計測部１９は、例えば、ＧＰＳ（Ｇｌｏｂａｌ  Ｐｏｓｉｔｉｏｎｉｎｇ  Ｓｙｓｔｅｍ）信号（つまり、衛星から送信される電波）を取得し、取得したＧＰＳ信号に基づいてタイムスイッチ１０の現在位置を計測するＧＰＳモジュールによって実現される。
【００２２】
なお、位置計測部１９は、ＧＰＳモジュールに限定されない。位置計測部１９は、付近の無線ＬＡＮのアクセスポイントまたは携帯電話の基地局と通信を行うことにより、アクセスポイントまたは携帯電話の基地局の位置、及び、受信信号強度などを用いて現在位置を計測する無線通信モジュール（つまり、無線通信回路）であってもよい。
【００２３】
［基本動作］
次に、タイムスイッチ１０の基本動作について説明する。図３は、タイムスイッチ１０の基本動作のフローチャートである。
【００２４】
まず、設定受付部１３は、初期設定を受け付ける（Ｓ１１）。初期設定には、現在時刻の設定、及び、タイムスイッチ１０の使用地域の設定などが含まれる。
【００２５】
次に、設定受付部１３は、スイッチ部１２がオンするオン時刻の設定を受け付ける（Ｓ１２）。設定受付部１３によってオン時刻の設定が受け付けられると、オン時刻の設定情報が記憶部１５に記憶される。
【００２６】
オン時刻の設定の選択肢には、日の入設定、及び、定時設定の２つが含まれる。日の入設定は、日の入時刻にスイッチ部１２がオンする設定である。日の出設定は、日の出時刻にスイッチ部１２がオンする設定である。定時設定は、ユーザ指定の時刻にスイッチ部１２がオンする設定である。
【００２７】
次に、設定受付部１３は、スイッチ部１２がオフするオフ時刻の設定を受け付ける（Ｓ１３）。設定受付部１３によってオフ時刻の設定が受け付けられると、オフ時刻の設定情報が記憶部１５に記憶される。
【００２８】
オフ時刻の設定の選択肢には、日の出設定、及び、定時設定の２つが含まれる。日の出設定は、日の出時刻にスイッチ部１２がオフする設定である。定時設定は、ユーザ指定の時刻にスイッチ部１２がオフする設定である。
【００２９】
次に、制御部１６は、記憶部１５に記憶された設定情報に基づいてスイッチ部１２のオン及びオフを制御する（Ｓ１４）。制御部１６は、具体的には、計時部１７によって計測される現在の時刻がステップＳ１２において設定されたオン時刻になると、スイッチ部１２をオンする。また、制御部１６は、計時部１７によって計測される現在の時刻がステップＳ１３において設定されたオフ時刻になると、スイッチ部１２をオフする。
【００３０】
［ソーラ機能］
タイムスイッチ１０は、オン時刻の設定、及び、オフ時刻の設定として、日の入設定または日の出設定が可能な、いわゆるソーラ機能つきタイムスイッチである。一般的なソーラ機能つきタイムスイッチでは、記憶部１５に日付と、日の出時刻及び日の入時刻のそれぞれとが対応付けられた時刻情報があらかじめ記憶される。図４は、時刻情報の一例を示す図である。
【００３１】
日の出時刻及び日の入り時刻は、地域によって異なる。そこで、図４に示されるように、時刻情報は、複数の地域（例えば、１２種類）のそれぞれについて、３６５日分の日の入時刻及び日の出時刻の情報を含んでいる。ステップＳ１１の初期設定においてタイムスイッチ１０の使用地域が設定されれば、一般的なソーラ機能つきタイムスイッチの制御部１６は、時刻情報を参照することにより設定された使用地域の日の出時刻及び日の入時刻を特定することができる。
【００３２】
しかしながら、一般的なソーラ機能つきタイムスイッチでは、当該タイムスイッチの現在位置における日の出時刻及び日の入時刻を正確に特定することができないことが課題である。
【００３３】
そこで、タイムスイッチ１０は、位置計測部１９によって計測されるタイムスイッチの現在位置に基づいて日の出時刻及び日の入時刻が算出される。図５は、タイムスイッチ１０のソーラ機能に基づく動作のフローチャートである。
【００３４】
まず、位置計測部１９は、ＧＰＳ信号を取得し、取得したＧＰＳ信号に基づいて現在位置を計測する（Ｓ２１）。位置計測部１９は、例えば、ＧＰＳ信号に基づいて、タイムスイッチ１０の現在位置の緯度、経度、及び、高度を計測する。
【００３５】
次に、制御部１６は、位置計測部１９によって計測された現在位置に基づいて日の出時刻及び日の入時刻の少なくとも一方を算出する（Ｓ２２）。現在位置（緯度、経度、及び、高度）から日の出時刻及び日の入時刻の算出するための計算アルゴリズムについては、既存の各種計算アルゴリズムが用いられる。そして、制御部１６は、算出された時刻にスイッチ部１２をオンまたはオフする（Ｓ２３）。
【００３６】
このように、タイムスイッチ１０は、位置計測部１９によって計測される位置情報に基づく計算により、タイムスイッチ１０の現在位置における日の出時刻及び日の入時刻を正確に特定することができる。なお、位置計測部１９は、現在位置の情報が必要なときにのみ選択的に（言い換えれば、間欠的に）起動されるとよい。これにより、位置計測部１９の動作によって生じる消費電力を抑制することができる。
【００３７】
［現在時刻補正機能］
なお、位置計測部１９によって取得されるＧＰＳ信号には、ＧＰＳ  Ｔｉｍｅが含まれる。ＧＰＳ  Ｔｉｍｅは、言い換えれば、現在の日時を示す日時情報である。つまり、位置計測部１９は、現在の日時を示す日時情報を取得することができる。
【００３８】
制御部１６は、このような日時情報を用いて計時部１７によって計測される現在時刻を補正することができる。なお、位置計測部１９が常時ＧＰＳ信号を取得できる場合には、制御部１６は、計時部１７によって計測される現在時刻に代えて、日時情報によって特定される現在時刻にしたがってスイッチ部１２をオン及びオフしてもよい。つまり、計時部１７は省略されてもよい。
【００３９】
［その他の機能１：１日に複数動作］
次に、タイムスイッチ１０のその他の機能について説明する。タイムスイッチ１０は、１日に複数のオン時刻を設定することが可能であり、かつ、１日に複数のオフ時刻を設定することが可能であってもよい。図６は、１日に２組のオン時刻及びオフ時刻が設定される例を示す図である。図６において上向きの矢印はオン時刻を示し、下向きの矢印はオフ時刻を示す。図６においてハッチングされた期間は、負荷がオンされている期間であり、図７以降の図面においても同様である。なお、１日に３組以上のオン時刻及びオフ時刻が設定されてもよい。
【００４０】
［その他の機能２：タイムスイッチの方式］
タイムスイッチ１０は、２４時間式であってもよいし、週間式であってもよいし、年間式であってもよい。
【００４１】
ここで、２４時間式のタイムスイッチ１０のユーザは、２４時間以内でオン時刻及びオフ時刻が設定できる。２４時間式のタイムスイッチ１０では、制御部１６は、設定された動作を毎日繰り返す。言い換えれば、スイッチ部１２は、設定受付部１３が受け付けたオン時刻の設定及びオフ時刻の設定にしたがって負荷及び電源の電気的な接続をオン及びオフする動作を毎日繰り返す。
【００４２】
また、週間式のタイムスイッチ１０のユーザは、オン時刻の設定、及び、オフ時刻の設定を曜日ごとに設定できる。つまり、設定受付部１３は、オン時刻の設定、及び、オフ時刻の設定を曜日ごとに受け付ける。週間式のタイムスイッチ１０では、制御部１６は、設定された動作を毎週繰り返す。
【００４３】
そして、年間式のタイムスイッチ１０のユーザは、オン時刻の設定、及び、オフ時刻の設定を３６５日のそれぞれについて個別に設定できる。つまり、設定受付部１３は、オン時刻の設定、及び、オフ時刻の設定を指定された年月日ごとに受け付ける。
【００４４】
［その他の機能３：休日設定機能］
タイムスイッチ１０は、特定の日を休日に設定する休日設定機能を有してもよい。図７は、休日設定機能を説明するための図である。図７に示されるように、休日に設定された日は、スイッチ部１２の制御が無効になる。この場合、設定受付部１３は、スイッチ部１２がオン及びオフする動作を無効にする日付の設定を受け付ける。休日設定機能は、例えば、週間式のタイムスイッチ１０において、特定の週の特定の曜日のみ動作を無効にするような場合に利用される。
【００４５】
［その他の機能４：シーズン対応機能］
タイムスイッチ１０は、１〜３６５日の間で選択した期間ごとに、オン時刻の設定及びオフ時刻の週間設定が可能なシーズン対応機能を有してもよい。図８は、シーズン対応機能を説明するための図である。
【００４６】
図８に示されるように、シーズン対応機能によれば、ユーザは、春夏秋冬のシーズン（つまり、期間）ごとに異なる週間設定を行うことができる。この場合、設定受付部１３は、第一期間における曜日ごとのオン時刻の設定及びオフ時刻の設定である第一週間設定と、第一期間と異なる第二期間における曜日ごとのオン時刻の設定及びオフ時刻の設定である第二週間設定とを個別に受け付ける。
【００４７】
［その他の機能５：特定日設定機能］
タイムスイッチ１０は、特定の日付のみ別の設定を適用する特定日設定機能を有してもよい。図９は、特定日設定機能を説明するための図である。図９に示されるように、特定の日付に設定された日には、別の設定が適用される。この場合、設定受付部１３は、特定の日付の設定、特定の日付におけるオン時刻の設定、及び、特定の日付におけるオフ時刻の設定を受け付ける。特定日設定機能は、例えば、週間式のタイムスイッチ１０において、特定の週の特定の日付のみ動作を変更するような場合に利用される。
【００４８】
［その他の機能６：曜日変更機能］
タイムスイッチ１０は、特定の曜日における、オン時刻の設定及びオフ時刻の設定を特定の日付に割り当てることができる曜日変更機能を有してもよい。図１０は、曜日変更機能を説明するための図である。図１０に示されるように、曜日変更機能は、例えば、週間式のタイムスイッチ１０において、特定の週の特定の日付の動作を別の曜日の動作に変更するような場合に利用される。この場合、設定受付部１３は、特定の日付の設定、特定の曜日の指定、及び、特定の曜日におけるオン時刻の設定及びオフ時刻の設定を特定の日付に割り当てる操作をさらに受け付ける。
【００４９】
［その他の機能７：割り込み機能］
上述の拡張端子部１８には、割り込み端子が含まれる。制御部１６は、割り込み端子を介してタイムスイッチ１０の外部から割り込み信号を取得すると、スイッチ部１２を強制的にオンする。言い換えれば、スイッチ部１２は、取得された割り込み信号に基づいて強制的にオンする。なお、スイッチ部１２は、取得された割り込み信号に基づいて強制的にオフしてもよい。
【００５０】
［その他の機能８：同期機能］
上述の拡張端子部１８には、同期端子が含まれる。制御部１６は、同期端子を介してタイムスイッチ１０の外部から同期信号を取得すると、同期信号に基づいてスイッチ部１２をオンまたはオフする。この結果、タイムスイッチ１０は、取得された同期信号に基づいて、同期信号を取得した他のタイムスイッチと同期する。つまり、タイムスイッチ１０を含む複数のタイムスイッチのオン時刻またはオフ時刻が揃う。
【００５１】
［その他の機能９：インターバル機能］
タイムスイッチ１０は、タイムスイッチ１０のユーザは、オン期間の長さの設定、及び、オフ期間の長さを設定に基づいてオン及びオフを繰り返すインターバル機能を有してもよい。基本動作では、オン時刻の設定、及び、オフ時刻の設定が行われるのに対し、インターバル機能の実行時には、オン期間の長さの設定、及び、オフ期間の長さを設定が行われる点が異なる。
【００５２】
インターバル機能の実行時には、設定受付部１３は、スイッチ部１２がオンするオン期間の長さの設定、及び、スイッチ部１２がオフするオフ期間の長さの設定を受け付ける。スイッチ部１２は、制御部１６の制御に基づいて、オン期間の長さの設定、及び、オフ期間の長さの設定にしたがってオン及びオフを繰り返す。
【００５３】
［その他の機能１０：スリープ機能］
タイムスイッチ１０は、指定された期間だけオンした後オフするスリープ機能を有してもよい。図１１は、スリープ機能を説明するための図である。
【００５４】
スリープ機能の実行時には、設定受付部１３は、スリープ設定としてオン期間の長さの設定を受け付ける。スイッチ部１２は、制御部１６の制御に基づき、スリープ設定が完了した時刻からスリープ設定において指定された期間オンした後、オフする。
【００５５】
［その他の機能１１：パルス機能］
タイムスイッチ１０は、希望の時刻から秒単位（例えば、１〜９９秒）でスイッチ部１２をオンするパルス機能を有してもよい。図１２は、パルス機能を説明するための図である。
【００５６】
パルス機能の実行時には、設定受付部１３は、パルス設定としてパルス幅の設定、及び、オン時刻の設定を受け付ける。スイッチ部１２は、制御部１６の制御に基づき、オン時刻からパルス幅に対応する期間オンした後、オフする。パルス機能は、秒単位で負荷を動作させる場合に用いられる。この場合の負荷は、電子ベル（電子チャイム）等である。
【００５７】
［効果等］
以上説明したように、タイムスイッチ１０は、負荷及び電源の電気的な接続をオン及びオフするスイッチ部１２と、現在位置を計測する位置計測部１９と、計測された現在位置に基づいて日の出時刻及び日の入時刻の少なくとも一方を算出し、算出された時刻にスイッチ部１２をオンまたはオフする制御部１６とを備える。
【００５８】
このようなタイムスイッチ１０は、位置計測部１９によって計測される位置情報に基づく計算により、タイムスイッチ１０の現在位置における日の出時刻及び日の入時刻を正確に特定することができる。
【００５９】
また、例えば、位置計測部１９は、さらに、現在の日時を示す日時情報を取得する。
【００６０】
このようなタイムスイッチ１０は、日時情報を用いて計時部１７によって計測される現在時刻を補正することができる。
【００６１】
また、例えば、タイムスイッチ１０は、さらに、スイッチ部１２がオンするオン時刻の設定、及び、スイッチ部１２がオフするオフ時刻の設定を受け付ける設定受付部１３を備える。オン時刻の設定の選択肢には、日の入時刻にスイッチ部１２がオンする日の入設定、及び、ユーザ指定の時刻にスイッチ部１２がオンする定時設定が含まれる。オフ時刻の設定の選択肢には、日の出時刻にスイッチ部１２がオフする日の入設定、及び、ユーザ指定の時刻にスイッチ部１２がオフする定時設定が含まれる。
【００６２】
このようなタイムスイッチ１０のユーザは、オン時刻の設定として、日の入設定、及び、定時設定のいずれかを選択することができ、オフ時刻の設定として、日の出設定、及び、定時設定のいずれかを選択することができる。
【００６３】
また、例えば、タイムスイッチ１０は、１日に複数のオン時刻を設定することが可能であり、かつ、１日に複数のオフ時刻を設定することが可能である。
【００６４】
このようなタイムスイッチ１０は、１日に複数回負荷をオンすることができる。
【００６５】
また、例えば、スイッチ部１２は、設定受付部１３が受け付けたオン時刻の設定及びオフ時刻の設定にしたがって負荷及び電源の電気的な接続をオン及びオフする動作を毎日繰り返す。
【００６６】
このようなタイムスイッチ１０は、２４時間式のタイムスイッチとして動作することができる。
【００６７】
また、例えば、設定受付部１３は、オン時刻の設定、及び、オフ時刻の設定を曜日ごとに受け付ける。
【００６８】
このようなタイムスイッチ１０は、週間式のタイムスイッチとして動作することができる。
【００６９】
また、例えば、設定受付部１３は、オン時刻の設定、及び、オフ時刻の設定を指定された年月日ごとに受け付ける。
【００７０】
このようなタイムスイッチ１０は、年間式のタイムスイッチとして動作することができる。
【００７１】
また、例えば、設定受付部１３は、スイッチ部１２がオン及びオフする動作を無効にする日付の設定をさらに受け付ける。
【００７２】
このようなタイムスイッチ１０のユーザは、特定の週の特定の曜日のみ動作を無効にするような設定を行うことができる。
【００７３】
また、例えば、設定受付部１３は、第一期間における曜日ごとのオン時刻の設定及びオフ時刻の設定である第一週間設定と、第一期間と異なる第二期間における曜日ごとのオン時刻の設定及びオフ時刻の設定である第二週間設定とを個別に受け付ける。
【００７４】
このようなタイムスイッチ１０のユーザは、春夏秋冬のシーズン（つまり、期間）ごとに異なる週間設定を行うことができる。
【００７５】
また、例えば、設定受付部１３は、特定の日付の設定、特定の日付における前記オン時刻の設定、及び、特定の日付におけるオフ時刻の設定をさらに受け付ける。
【００７６】
このようなタイムスイッチ１０のユーザは、例えば、特定の週の特定の日付のみ動作を変更することができる。
【００７７】
また、例えば、設定受付部１３は、特定の日付の設定、特定の曜日の指定、及び、特定の曜日の前記オン時刻の設定及び前記オフ時刻の設定を特定の日付に割り当てる操作をさらに受け付ける。
【００７８】
このようなタイムスイッチ１０のユーザは、特定の週の特定の日付の動作を別の曜日の動作に変更することができる。
【００７９】
また、例えば、タイムスイッチ１０は、さらに、タイムスイッチ１０の外部から割り込み信号を取得するための拡張端子部１８を備える。拡張端子部１８は、取得部の一例である。スイッチ部１２は、取得された割り込み信号に基づいて強制的にオンまたはオフする。
【００８０】
このようなタイムスイッチ１０は、割り込み信号に基づいて負荷を強制的にオンまたはオフすることができる。
【００８１】
また、例えば、タイムスイッチ１０は、さらに、タイムスイッチ１０の外部から同期信号を取得するための拡張端子部１８を備える。拡張端子部１８は、取得部の一例である。タイムスイッチ１０は、取得された同期信号に基づいて、同期信号を取得した他のタイムスイッチ１０と同期する。
【００８２】
このようなタイムスイッチ１０は、同期信号を取得した他のタイムスイッチ１０と同期することができる。
【００８３】
また、例えば、設定受付部１３は、さらに、スイッチ部１２がオンするオン期間の長さの設定、及び、スイッチ部１２がオフするオフ期間の長さの設定を受け付ける。スイッチ部１２は、オン期間の長さの設定、及び、オフ期間の長さの設定にしたがって、オン及びオフを繰り返す。
【００８４】
このようなタイムスイッチ１０は、負荷のオン及びオフを周期的を繰り返すことができる。
【００８５】
また、例えば、設定受付部１３は、さらに、スリープ設定を受け付ける。スイッチ部１２は、スリープ設定において指定された期間オンした後、オフする。
【００８６】
このようなタイムスイッチ１０は、スリープ設定に基づいて指定された期間だけ負荷をオンすることができる。
【００８７】
また、例えば、設定受付部１３は、さらに、パルス幅の設定、及び、スイッチ部１２がオンするオン時刻の設定を受け付ける。スイッチ部１２は、オン時刻からパルス幅に対応する期間オンした後、オフする。
【００８８】
このようなタイムスイッチ１０は、パルス幅の設定に基づいて負荷をオンすることができる。
【００８９】
（その他の実施の形態）
以上、実施の形態について説明したが、本発明は、上記実施の形態に限定されるものではない。
【００９０】
例えば、上記実施の形態において、特定の処理部が実行する処理を別の処理部が実行してもよい。
【００９１】
また、上記実施の形態のフローチャートで説明された処理の順序は、一例である。複数の処理の順序は変更されてもよいし、複数の処理は並行して実行されてもよい。
【００９２】
また、上記実施の形態において、各構成要素は、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９３】
また、各構成要素は、ハードウェアによって実現されてもよい。例えば、各構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【００９４】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、本発明の全般的または具体的な態様は、システム、装置、方法、集積回路、コンピュータプログラム及び記録媒体の任意な組み合わせで実現されてもよい。
【００９５】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【００９６】
１０  タイムスイッチ
１２  スイッチ部
１３  設定受付部
１５  記憶部
１６  制御部
１７  計時部
１８  拡張端子部（取得部）
１９  位置計測部
【図１】
2020016618.tif 000003
【図２】
2020016618.tif 000004
【図３】
2020016618.tif 000005
【図４】
2020016618.tif 000006
【図５】
2020016618.tif 000007
【図６】
2020016618.tif 000008
【図７】
2020016618.tif 000009
【図８】
2020016618.tif 000010
【図９】
2020016618.tif 000011
【図１０】
2020016618.tif 000012
【図１１】
2020016618.tif 000013
【図１２】
2020016618.tif 000014